(57)【要約】【課題】  電力消費を極力低減できるモータ駆動制御装置を提供する。【解決手段】  負荷機構(駆動ローラ１、従動ローラ２)を駆動するモータ１４と、負荷機構の温度状態を検出する温度検出手段１１と、モータ駆動トルク及び駆動電流値のデータと温度状態による負荷変動データから作成した駆動電流値設定データを記憶する記憶手段１２と、温度状態に基づいてモータ１４の駆動電流を設定する電流設定手段１３とを備えるようにした。【選択図】        図１
2006014440.tif 000002
【特許請求の範囲】
【請求項１】
負荷機構を駆動するモータと、負荷機構の温度状態を検出する温度検出手段と、モータ駆動トルク及び駆動電流値のデータと温度状態による負荷変動データから作成した駆動電流値設定データを記憶する記憶手段と、前記温度検出手段から出力される温度情報に応じた駆動電流値設定データを前記記憶手段から読み出して前記モータの駆動電流を設定する電流設定手段とを備えたことを特徴とするモータ駆動制御装置。
【請求項２】
前記電流設定手段は、スローアップまたはスローダウン時の駆動電流値を設定することを特徴とする請求項１に記載のモータ駆動制御装置。
【請求項３】
前記電流設定手段は、定速時の駆動電流値を設定することを特徴とする請求項１に記載のモータ駆動制御装置。
【請求項４】
負荷機構を駆動するモータと、負荷機構の温度状態を検出する温度検出手段と、モータ駆動トルク及び駆動電圧値のデータと温度状態による負荷変動データから作成した駆動電圧値設定データを記憶する記憶手段と、前記温度検出手段から出力される温度情報に応じた駆動電圧値設定データを前記記憶手段から読み出して前記モータの駆動電圧を設定する電圧設定手段とを備えたことを特徴とするモータ駆動制御装置。
【請求項５】
前記電圧設定手段は、スローアップまたはスローダウン時の駆動電圧値を設定することを特徴とする請求項４に記載のモータ駆動制御装置。
【請求項６】
前記電圧設定手段は、定速時の駆動電圧値を設定することを特徴とする請求項４に記載のモータ駆動制御装置。
【発明の詳細な説明】
【技術分野】
【０００１】
本発明は、複写機、プリンタ、ファクシミリなどの画像形成装置に好適なモータ駆動制御装置に関する。
【背景技術】
【０００２】
画像形成装置は、原稿の画像を露光走査して読み取り、その読取画像を画像形成媒体、例えば用紙上に形成する。露光走査手段として、露光ランプ、露光ランプを載せて移動するキャリッジ、このキャリッジを動かすためのステッピングモータ等が設けられ、ステッピングモータは定電流駆動または定電圧駆動により所定速度まで加速されて等速運動する。
モータ駆動制御装置に関連して、例えば特許文献１には、ステッピングモータの温度を検知し、所定値以上の時は、モータ励磁のパルスレートを変更するファクシミリ装置が提案されている。また、特許文献２には、雰囲気温度またはモータ温度を検知し、モータ脱調が予測される場合は、ステップモータの駆動ステップテーブルを変更する、またはモータ駆動電圧または電流を変更する技術が提案されている。
【特許文献１】特許第３３２１１９６号
【特許文献２】特許第３４１３０２８号
【発明の開示】
【発明が解決しようとする課題】
【０００３】
ステッピングモータの駆動方式としては、定電圧駆動方式よりも、モータの出力特性に優れる定電流駆動方式の方が一般的である。定電流駆動の電流値としては、予め計算あるいは実測により負荷トルクを求め、これに機体間の負荷トルクのばらつきや、各機体の負荷トルク変動等を考慮し、それに対して十分なマージンを有する大きさの出力トルクが得られる値が設定される。この定電流駆動の電流値は、一旦設定された値が変更されることはなく、実際の負荷トルクを賄う値よりもかなり大きな値が設定される。この場合、モータの消費電力が大きくなったり、モータの発熱や装置発熱が大きくなるなどの問題がある。
そこで、本発明は上記したような点を鑑みてなされたものであり、電力消費を極力低減できるモータ駆動制御装置を提供することを目的とする。
【課題を解決するための手段】
【０００４】
上記目的を達成するために、請求項１記載の発明は、負荷機構を駆動するモータと、負荷機構の温度状態を検出する温度検出手段と、モータ駆動トルク及び駆動電流値のデータと温度状態による負荷変動データから作成した駆動電流値設定データを記憶する記憶手段と、前記温度検出手段から出力される温度情報に応じた駆動電流値設定データを前記記憶手段から読み出して前記モータの駆動電流を設定する電流設定手段とを備えたことを特徴とする。
また請求項２記載の発明は、前記電流設定手段は、スローアップまたはスローダウン時の駆動電流値を設定することを特徴とする。
また請求項３記載の発明は、前記電流設定手段は、定速時の駆動電流値を設定することを特徴とする。
また請求項４記載の発明は、負荷機構を駆動するモータと、負荷機構の温度状態を検出する温度検出手段と、モータ駆動トルク及び駆動電圧値のデータと温度状態による負荷変動データから作成した駆動電圧値設定データを記憶する記憶手段と、前記温度検出手段から出力される温度情報に応じた駆動電圧値設定データを前記記憶手段から読み出して前記モータの駆動電圧を設定する電圧設定手段とを備えたことを特徴とする。
また請求項５記載の発明は、前記電圧設定手段は、スローアップまたはスローダウン時の駆動電圧値を設定することを特徴とする。
また請求項６記載の発明は、前記電圧設定手段は、定速時の駆動電圧値を設定することを特徴とする。
【発明の効果】
【０００５】
請求項１に記載の本発明によれば、負荷機構の温度状態を検出し、温度変化による負荷変動に対応した電流値を設定することで、負荷変動によるモータの脱調を防ぎ、駆動電流値を小さく設定することができるため、消費電力を低減することができる。
また請求項２に記載の本発明によれば、モータの負荷変動が大きい加速、減速時にモータの駆動電流値を設定することで、負荷変動によるモータの脱調を防ぎ、より消費電力を低減することができる。
また請求項３に記載の本発明によれば、モータの負荷変動が小さい定速時にモータの駆動電流値を設定することで、より消費電力を低減することができる。
また請求項４に記載の本発明によれば、負荷機構の温度状態を検出し、温度変化による負荷変動に対応した電圧値を設定することで、負荷変動によるモータの脱調を防ぎ、駆動電圧値を小さく設定することができるため、消費電力を低減することができる。
また請求項５に記載の本発明によればモータの負荷変動が大きい加速、減速時にモータの駆動電圧値を設定することで、負荷変動によるモータの脱調を防ぎ、より消費電力を低減することができる。
また請求項６に記載の本発明によれば、モータの負荷変動が小さい定速時にモータの駆動電圧値を設定することで、より消費電力を低減することができる。
【発明を実施するための最良の形態】
【０００６】
以下、本発明の実施の形態を図面に従って説明する。
図１は第１の実施の形態に係るモータ駆動制御装置の構成図である。画像形成装置に適用されており、駆動ローラ１と従動ローラ２とが連結ベルト３で駆動連結されている。駆動ローラ１が矢印Ａ方向に回転すると従動ローラ２も矢印Ａ方向に回転し、原稿は矢印Ｂ方向に搬送される。
モータ駆動制御装置は、サーミスタ１１、メモリ１２、電流設定手段１３、モータ１４から構成される。サーミスタ１１は、負荷機構（駆動ローラ１と従動ローラ２）の温度状態を検出する。検出した温度情報は電流設定手段１３に転送するようにされる。メモリ１２には、モータ１４の駆動トルク及び駆動電流値のデータと、負荷機構の温度状態による負荷変動データに基づいて作成した駆動電流値設定データが予め記憶されている。電流設定手段１３は、上記サーミスタ１１から転送されてくる温度情報に応じた駆動電流値データをメモリ１２から読み出してモータ１４の駆動電流として設定する。モータ１４は、電流設定手段１３で設定された駆動電流値で駆動され、駆動ローラ１を回転させる。
ここで、電流設定手段１３は、スローアップまたはスローダウン時の駆動電流値を設定する。また、定速時の駆動電流値を設定する。
このように構成される第１の実施の形態としてのモータ駆動制御装置によれば、サーミスタ１１により負荷機構の温度状態を検出し、モータ１４の駆動電流を温度変化による負荷変動に対応した電流値を設定することで、負荷変動によるモータ１４の脱調を防ぎ、駆動電流値を小さく設定することができるため、消費電力を低減することができる。
また、モータ１４の負荷変動が大きい加速、減速時にモータ１４の駆動電流値を電流設定手段１３により設定することで、負荷変動によるモータ１４の脱調を防ぎ、より消費電力を低減することができる。また、モータ１４の負荷変動が小さい定速時にモータ１４の駆動電流値を電流設定手段１３により設定することで、より消費電力を低減することができる。
【０００７】
図２は、第２の実施の形態に係るモータ駆動制御装置の構成図である。画像形成装置に適用されており、駆動ローラ１と従動ローラ２とが連結ベルト３で駆動連結されている。駆動ローラ１が矢印Ａ方向に回転すると従動ローラ２も矢印Ａ方向に回転し、原稿は矢印Ｂ方向に搬送される。
モータ駆動制御装置は、サーミスタ１１、メモリ１２、電圧設定手段２１、モータ１４から構成される。サーミスタ１１は、負荷機構（駆動ローラ１と従動ローラ２）の温度状態を検出する。検出した温度情報は電圧設定手段２１に転送される。メモリ１２には負荷機構の温度状態による負荷変動データに基づいて作成した駆動電圧値設定データが予め記憶されている。電圧設定手段２１は、上記サーミスタ１１から転送されてくる温度情報に応じた駆動電圧値データをメモリ１２から読み出してモータ１４の駆動電圧として設定する。モータ１４は、電圧設定手段２１で設定された駆動電圧値で駆動され駆動ローラ１を回転させる。
ここで、電圧設定手段２１は、スローアップまたはスローダウン時の駆動電圧値を設定する。また、定速時の駆動電圧値を設定する。
このように構成される第２の実施の形態としてのモータ駆動制御装置によれば、サーミスタ１１により負荷機構の温度状態を検出し、モータ１４の駆動電圧値を温度変化による負荷変動に対応した電圧値を設定することで、負荷変動によるモータ１４の脱調を防ぎ、駆動電圧値を小さく設定することができるため、消費電力を低減することができる。
また、モータ１４の負荷変動が大きい加速、減速時にモータの駆動電圧値を電圧設定手段２１により設定することで、負荷変動によるモータ１４の脱調を防ぎ、より消費電力を低減することができる。また、モータ１４の負荷変動が小さい定速時にモータ１４の駆動電圧値を電圧設定手段２１により設定することで、より消費電力を低減することができる。
【図面の簡単な説明】
【０００８】
【図１】第１の実施の形態に係るモータ駆動制御装置の構成図。
【図２】第２の実施の形態に係るモータ駆動制御装置の構成図。
【符号の説明】
【０００９】
１  駆動ローラ、２  従動ローラ、３  連結ベルト、１１  サーミスタ（温度検出手段）、１２  メモリ（記憶手段）、１３  電流設定手段、１４  モータ
【図１】
2006014440.tif 000003
【図２】
2006014440.tif 000004